(57)【要約】【課題】映像サイズに応じて立体映像の視差量を調整した上で、さらに利用者による視差調整を可能とした映像表示装置および映像表示方法を提供する。【解決手段】立体映像の映像サイズを取得し（Ｓ２）、取得した映像サイズに基づいて、立体映像の視差量を調整するための奥行き調整値のデフォルト値を設定し（Ｓ３）、奥行き調整値の変更入力があった場合には（Ｓ４）、奥行き調整値を変更し（Ｓ５）、立体映像の視差調整量を、変更された奥行き調整値に基づいて設定し（Ｓ６）、視差調整量に基づいて、立体映像の視差量を調整する（Ｓ７）。【選択図】図７
2013197797.tif 000002
【特許請求の範囲】
【請求項１】
立体映像の映像サイズを取得する映像サイズ取得部と、
取得された前記映像サイズに基づいて、前記立体映像の視差量を調整するための視差量調整用値のデフォルト値を設定するデフォルト値設定部と、
前記視差量調整用値を、前記デフォルト値から変更させる調整用値変更部と、
前記視差量調整用値に基づいて、前記立体映像の視差調整量を設定する視差調整量設定部と、
設定された前記視差調整量に基づいて、前記立体映像の視差量を調整する視差量調整部と、
を備えたことを特徴とする映像表示装置。
【請求項２】
前記デフォルト値設定部は、取得された前記映像サイズが所定の閾値を超えた場合に、前記視差量が小さくなるように、前記デフォルト値を設定することを特徴とする請求項１に記載の映像表示装置。
【請求項３】
前記閾値は、前記視差量が瞳孔間隔を超えるか否かを判定する値であることを特徴とする請求項２に記載の映像表示装置。
【請求項４】
利用者に関する利用者情報を取得する利用者情報取得部を、さらに備え、
前記デフォルト値設定部は、取得された前記映像サイズと前記利用者情報とに基づいて、前記デフォルト値を設定することを特徴とする請求項１ないし３のいずれかに記載の映像表示装置。
【請求項５】
立体映像の映像サイズを取得する映像サイズ取得工程と、
取得した前記映像サイズに基づいて、前記立体映像の視差量を調整するための視差量調整用値のデフォルト値を設定するデフォルト値設定工程と、
前記視差量調整用値を、前記デフォルト値から変更させる調整用値変更工程と、
前記視差量調整用値に基づいて、前記立体映像の視差調整量を設定する視差調整量設定工程と、
設定した前記視差調整量に基づいて、前記立体映像の視差量を調整する視差量調整工程と、
を備えたことを特徴とする映像表示方法。
【発明の詳細な説明】
【技術分野】
【０００１】
本発明は、立体映像を表示する映像表示装置および映像表示方法に関するものである。
【背景技術】
【０００２】
従来、視聴環境によらず、制作者の意図した３Ｄ画像を視聴者に提供することを目的として、視聴環境に応じて視差量を調整して再生する再生装置が知られている。例えば、同じ３Ｄ画像でもスクリーンサイズ（映像サイズ）が大きくなるほど視差量も大きくなるが、この再生装置では、視聴環境情報としてスクリーンサイズを取得し、想定したスクリーンサイズで再生した場合と同じ視差量になるように調整している（特許文献１参照）。
【先行技術文献】
【特許文献】
【０００３】
【特許文献１】特開２０１１−１４６８２８号公報
【発明の概要】
【発明が解決しようとする課題】
【０００４】
しかしながら、従来の再生装置は、製作者の意図した３Ｄ画像となるように視差を調整するだけで、そこからさらに、利用者が視差量を調整できるようにしたものではなかった。したがって、上記のように、視聴環境情報としてスクリーンサイズを取得し、想定したスクリーンサイズで再生した場合と同じ視差量になるように調整したとしても、さらに小さい視差量で視聴することを希望している利用者にとっては、自分の好みよりも大きい視差量の３Ｄ画像を見させられることになるため、不都合であった。
【０００５】
本発明は、映像サイズに応じて立体映像の視差量を調整した上で、さらに利用者による視差調整を可能とした映像表示装置および映像表示方法を提供することを課題としている。
【課題を解決するための手段】
【０００６】
本発明の映像表示装置は、立体映像の映像サイズを取得する映像サイズ取得部と、取得された映像サイズに基づいて、立体映像の視差量を調整するための視差量調整用値のデフォルト値を設定するデフォルト値設定部と、視差量調整用値を、デフォルト値から変更させる調整用値変更部と、視差量調整用値に基づいて、立体映像の視差調整量を設定する視差調整量設定部と、設定された視差調整量に基づいて、立体映像の視差量を調整する視差量調整部と、を備えたことを特徴とする。
【０００７】
本発明の映像表示方法は、立体映像の映像サイズを取得する映像サイズ取得工程と、取得した映像サイズに基づいて、立体映像の視差量を調整するための視差量調整用値のデフォルト値を設定するデフォルト値設定工程と、視差量調整用値を、デフォルト値から変更させる調整用値変更工程と、視差量調整用値に基づいて、立体映像の視差調整量を設定する視差調整量設定工程と、設定した視差調整量に基づいて、立体映像の視差量を調整する視差量調整工程と、を備えたことを特徴とする。
【０００８】
これらの構成によれば、立体映像の映像サイズに基づいて、視差量調整用値のデフォルト値を設定する。そして、利用者がさらなる視差調整を希望しない場合には、視差量調整用値のデフォルト値に基づいて、立体映像の視差調整量を設定する。そして、設定された視差調整量に基づいて、立体映像の視差量を調整する。これにより、映像サイズに応じて立体映像の視差量を調整することができる。その上、利用者がさらなる視差調整を希望する場合には、利用者に視差量調整用値をデフォルト値から変更させることで、変更された視差量調整用値に基づいて、立体映像の視差調整量を設定する。そして、設定された視差調整量に基づいて、立体映像の視差量を調整する。これにより、利用者は、映像サイズに応じて調整された視差量から、自分の好みの視差量に変更することができる。このように、映像サイズに応じて立体映像の視差量を調整した上で、さらに利用者による視差調整を可能とすることができる。
【０００９】
この場合、デフォルト値設定部は、取得された映像サイズが所定の閾値を超えた場合に、視差量が小さくなるように、デフォルト値を設定することが好ましい。
【００１０】
同じ立体映像でも映像サイズが大きくなるほど視差量も大きくなるが、この構成によれば、取得された映像サイズが閾値以下であった場合は、視差量もさほど大きくないため、視差量調整用値のデフォルト値を変更することなく、他方、取得された映像サイズが閾値を超えた場合は、視差量も大きいため、視差量が小さくなるように視差量調整用値のデフォルト値を変更する。このため、必要に応じた視差調整が可能となる。
【００１１】
この場合、閾値は、視差量が瞳孔間隔を超えるか否かを判定する値であることが好ましい。
【００１２】
この構成によれば、立体映像の視差量が瞳孔間隔を超えないように、視差量調整用値のデフォルト値を設定することができる。
【００１３】
この場合、利用者に関する利用者情報を取得する利用者情報取得部を、さらに備え、デフォルト値設定部は、取得された映像サイズと利用者情報とに基づいて、デフォルト値を設定することが好ましい。
【００１４】
この構成によれば、例えば、利用者情報として利用者の年齢を取得し、取得された年齢が子供の場合には、取得された映像サイズが比較的小さく、視差量がさほど大きくならないときでも、視差量が小さくなるように視差量調整用値のデフォルト値を変更し、他方、取得された年齢が大人の場合には、映像サイズが比較的小さく、視差量がさほど大きくならないときには、そのままの視差量となるように視差量調整用値のデフォルト値を設定することができる。このように、利用者の特性に応じた視差調整が可能となる。
【図面の簡単な説明】
【００１５】
【図１】本発明の一実施形態に係るプロジェクターの構成図である。
【図２】第１実施形態に係るプロジェクターの機能ブロック図である。
【図３】映像サイズ設定メニューの一例を示す図である。
【図４】（ａ）は奥行き調整値がプラス側に設定された場合の視差量の調整を説明する図であり、（ｂ）は奥行き調整値がマイナス側に設定された場合の視差量の調整を説明する図である。
【図５】奥行き調整値設定テーブルの一例を示す図である。
【図６】奥行き調整値設定メニューの一例を示す図である。
【図７】第１実施形態に係るプロジェクターの視差調整処理の流れを示すフローチャートである。
【図８】第２実施形態に係るプロジェクターの機能ブロック図である。
【図９】奥行き調整値設定テーブルの他の例を示す図である。
【図１０】第２実施形態に係るプロジェクターの視差調整処理の流れを示すフローチャートである。
【発明を実施するための形態】
【００１６】
以下、添付の図面を参照して、本発明に係る映像表示装置および映像表示方法の一実施形態について説明する。本実施形態では、映像表示装置としてプロジェクターを例示する。このプロジェクターは、スクリーン等に対し、二次元映像であって視差を有する右目用映像および左目用映像を表示（投写）することで、立体映像として認識させるように表示するものである。立体映像の表示形式としては特に限定されず、例えば、アクティブ・シャッター式の眼鏡（液晶シャッター眼鏡）をかけた利用者に対し、右目用映像と左目用映像を交互に表示する方式（フレームシーケンシャル方式）であってもよく、偏光フィルターやカラーフィルターの眼鏡をかけた利用者に対し、右目用映像と左目用映像を同時に表示する方式であってもよい。
【００１７】
図１に示すように、プロジェクター１は、映像入力部１１と、映像解析部１２と、映像補正部１３と、操作パネル１４と、リモコン１５と、制御部１６と、光変調装置１７と、光変調装置駆動部１８と、光源１９と、光源駆動部２０と、プリズム２１と、レンズ２２と、２Ｄ／３Ｄ検出回路２３とを備えている。
【００１８】
映像入力部１１は、パーソナルコンピューターやビデオプレーヤーなどの外部機器、若しくはＵＳＢメモリー等の外部記憶媒体から映像データを受信する。入力した映像データは、入力したコンテンツが二次元映像であるか立体映像であるかを示す２Ｄ／３Ｄ識別情報を含んでいる。
【００１９】
映像解析部１２は、映像入力部１１に入力した映像データに基づき、シャープネスのためのエッジ検出や、明るさ補正のためのヒストグラム解析を行う。
映像補正部１３は、映像入力部１１に入力した映像データに対し、映像解析部１２による解析結果に基づき、シャープネス、明るさ補正などの補正を行い、光変調装置駆動部１８に出力する。
【００２０】
操作パネル１４は、プロジェクター１本体に設けられ、各種操作を行うための操作子群を有している。操作子群には、電源ボタン、後述する映像サイズ設定メニューや奥行き調整値設定メニュー等の環境設定メニューをＯＳＤ（On-Screen Display）表示させるためのメニューボタン、環境設定メニュー等において各種項目を選択するための選択ボタン、選択項目を決定するための決定ボタンなどが含まれる。また、リモコン１５は、プロジェクター１本体を遠隔操作するためのものであり、操作パネル１４と同様に、各種操作子群を有している。
【００２１】
制御部１６は、各種演算処理を行うＣＰＵ（Central Processing Unit）と、基本ソフトウェアであるＯＳ（Operating System）やＣＰＵが演算処理を行うために用いられる制御プログラム・制御データを記憶したＲＯＭ（Read Only Memory）と、ＣＰＵが各種演算処理を行う際の作業領域として用いられるＲＡＭ（Random Access Memory）等により構成され、プロジェクター１を統括制御する。
【００２２】
光変調装置１７は、ＲＧＢ３色に対応した３枚の液晶ライトバルブで構成されており、光源１９からの投写光を変調する。光変調装置駆動部１８は、液晶ライトバルブの各画素に、映像補正部１３により補正された映像信号に応じた駆動電圧を印加することにより、各画素の光透過率を設定する。光源駆動部２０は、ランプで構成された光源１９に電力を供給し、光源１９のＯＮ／ＯＦＦや光量の調整を行う。プリズム２１は、光変調装置１７により変調されたＲＧＢ３色の変調光を合成する。レンズ２２は、プリズム２１により合成された投写映像をスクリーン等に結像させる。
【００２３】
２Ｄ／３Ｄ検出回路２３は、映像入力部１１に入力した映像信号の２Ｄ／３Ｄ識別情報を参照して、入力した映像信号が二次元映像用であるか立体映像用であるかを検出し、検出結果を制御部１６に出力する。
【００２４】
図２を参照して、プロジェクター１の機能構成について説明する。プロジェクター１は、２Ｄ／３Ｄ検出部１０１と、表示部１０２と、映像サイズ取得部１０３と、視差量調整用値設定部１０４と、視差調整量設定部１０５と、視差量調整部１０６とを備えている。
【００２５】
２Ｄ／３Ｄ検出部１０１は、入力した映像信号が二次元映像用であるか立体映像用であるかを検出するものであり、２Ｄ／３Ｄ検出回路２３を主要構成要素とする。表示部１０２は、入力した映像信号に基づいた映像を表示（投写）するものであり、光変調装置１７、光変調装置駆動部１８、光源１９、光源駆動部２０、プリズム２１およびレンズ２２を主要構成要素とする。
【００２６】
映像サイズ取得部１０３は、環境設定メニューにおいて、利用者に映像サイズ（投写サイズ）を入力させることで、映像サイズを取得するものである。より具体的には、映像サイズ取得部１０３は、図３に示すような映像サイズ設定メニューを表示し、スクリーン等の大きさ等に応じた映像サイズを利用者に入力させることで、映像サイズを取得するものであり、６０〜３００インチの範囲で１０インチ毎に設定可能となっている。デフォルトの映像サイズは、１００インチとなっている。
なお、映像サイズ取得部１０３の構成は、本実施形態のように、利用者に映像サイズを入力させる構成に限定されるものではなく、例えば、スクリーン等に表示されている映像を撮像することで、映像サイズを取得する構成でもよく、投写映像のズーム状態と、プロジェクター１から投写映像（スクリーン等）までの投写距離とにより求める構成でもよい。
【００２７】
視差量調整用値設定部１０４は、詳細は後述するが、立体映像の視差量を調整するための視差量調整用値として、奥行き調整値を設定する。この奥行き調整値は、立体映像の奥行きを調整するためのものであって、−１０から＋１０の２１段階で設定可能となっており、奥行き調整値の１段階は、８ピクセル分の視差量に相当する。
視差調整量設定部１０５は、映像補正部１３を主要構成要素としており、視差量調整用値設定部１０４により設定された奥行き調整値に基づいて、視差調整量を設定する。視差調整量設定部１０５は、視差量調整用値設定部１０４により奥行き調整値がプラス側に設定されると、飛び出し方向の立体映像に対しては、飛び出し量が大きくなる方向に、すなわち視差量が大きくなるように視差調整量を設定し、引っ込み方向の立体映像に対しては、引っ込み量が小さくなる方向に、すなわち視差量が小さくなるように視差調整量を設定する（図４（ａ）参照）。逆に、視差調整量設定部１０５は、視差量調整用値設定部１０４により奥行き調整値がマイナス側に設定されると、飛び出し方向の立体映像に対しては、飛び出し量が小さくなる方向に、すなわち視差量が小さくなるように視差調整量を設定し、引っ込み方向の立体映像に対しては、引っ込み量が大きくなる方向に、すなわち視差量が大きくなる方向に視差調整量を設定する（図４（ｂ）参照）。より具体的には、視差調整量設定部１０５は、視差量調整用値設定部１０４により設定された奥行き調整値が＋２の場合、引っ込み方向の立体映像に対しては、視差量が１６ピクセル小さくなるように、視差調整量を設定する。
視差量調整部１０６は、映像補正部１３を主要構成要素としており、視差調整量設定部１０５により設定された視差調整量に基づいて、立体映像の視差量を調整する。
なお、本実施形態では、立体映像の視差量を調整するための視差量調整用値として、奥行き調整値を用いたが、これに限定されるものではなく、例えば視差調整値を用いてもよい。この視差調整値は、立体映像の視差量を直接調整するためのものであって、視差量調整用値設定部１０４が視差調整値をプラス側に設定すると、視差調整量設定部１０５が、視差量が大きくなるように視差調整量を設定し、他方、視差量調整用値設定部１０４が視差調整値をマイナス側に設定すると、視差調整量設定部１０５が、視差量が大きくなるように視差調整量を設定する。
【００２８】
視差量調整用値設定部１０４は、デフォルト値設定部１１１と、調整用値変更部１１２とを有している。デフォルト値設定部１１１は、映像サイズ取得部１０３により取得された映像サイズに基づいて、奥行き調整値のデフォルト値（初期値）を設定するものであり、制御部１６を主要構成要素とする。
【００２９】
デフォルト値設定部１１１が設定する奥行き調整値のデフォルト値は、立体映像の視差量が子供の平均的な瞳孔間隔である５ｃｍを超えないようにするためのものである。より具体的に説明すると、引っ込み方向の立体映像の場合、人の目は外側には開かないため、瞳孔間隔を超える視差量となることは、できるだけ避けることが望ましいとされている。一方、同じ立体映像でも映像サイズが大きくなるほど視差量も大きくなる。そのため、例えば、視差角が０．７度で、６０インチの映像サイズに投写することを前提として制作された立体映像において、視差量を２．８ｃｍに設定したとすると、映像サイズが１１０インチでは、視差量が５．０ｃｍであるが、映像サイズが１２０インチになると、視差量が５．５ｃｍとなり、視差量が子供の平均的な瞳孔間隔である５ｃｍを超えることになる（図５参照。同図では、視差調整量の欄のカッコ内の値が、奥行き調整値が０の場合の引っ込み方向の視差量を示している）。
【００３０】
そこで、デフォルト値設定部１１１は、立体映像の視差量が子供の平均的な瞳孔間隔を超えるか否かを判定するための映像サイズの閾値を１１０インチとして、映像サイズ取得部１０３により取得された映像サイズが、この１１０インチを超えた場合に、引っ込み方向の立体映像の視差量が小さくなるよう、奥行き調整値のデフォルト値をプラス側に設定するようになっている。すなわち、デフォルト値設定部１１１は、製作者が想定した映像サイズや視差量等に基づいて、図５に示したような、映像サイズと奥行き調整値のデフォルト値とを対応付けた奥行き調整値設定テーブルを作成すると共に、作成した奥行き調整値設定テーブルを参照して、映像サイズ取得部１０３により取得された映像サイズからデフォルト値を設定する。
【００３１】
このように、取得された映像サイズが１１０インチ以下であった場合は、視差量は子供の瞳孔間隔以下であるため、奥行き調整値のデフォルト値を変更することなく（デフォルト値＝０）、他方、取得された映像サイズが１１０インチを超えた場合に、視差量が子供の瞳孔間隔を超えるため、視差量が小さくなるように奥行き調整値のデフォルト値をプラス側に変更する。このため、必要に応じた視差調整が可能となる。
【００３２】
調整用値変更部１１２は、環境設定メニューにおいて、立体映像の奥行き量が利用者の好みに合うように、利用者に奥行き調整値を変更させるものである。より具体的には、調整用値変更部１１２は、図６に示すような奥行き調整値設定メニューにおいて、まず、デフォルト値設定部１１１により設定された奥行き調整値のデフォルト値を表示すると共に、利用者に奥行き調整値を、−１０から＋１０の２１段階で入力させ、その入力に基づいて、奥行き調整値を、デフォルト値設定部１１１により設定されたデフォルト値から変更する。
【００３３】
図７を参照して、第１実施形態に係るプロジェクター１の視差調整処理の流れについて説明する。プロジェクター１は、まず、２Ｄ／３Ｄ検出部１０１が、入力した映像信号が二次元映像用であるか立体映像用であるかを検出する（Ｓ１）。２Ｄ／３Ｄ検出部１０１が、入力した映像信号が二次元映像用であると検出した場合は（Ｓ１；２Ｄ）、プロジェクター１は、そのまま処理を終了する。
【００３４】
一方、２Ｄ／３Ｄ検出部１０１が、入力した映像信号が立体映像用であると検出した場合は（Ｓ１；３Ｄ）、映像サイズ取得部１０３が立体映像の映像サイズを取得する（Ｓ２）。続いて、デフォルト値設定部１１１が、奥行き調整値設定テーブルを参照して、映像サイズ取得部１０３により取得された映像サイズに基づいて、奥行き調整値のデフォルト値を設定する（Ｓ３）。
【００３５】
続いて、利用者により、奥行き調整値設定メニューにおいて奥行き調整値の変更入力がなされた場合には（Ｓ４；Ｙｅｓ）、調整用値変更部１１２が、その入力結果に基づき、奥行き調整値をデフォルト値から変更する（Ｓ５）。続いて、視差調整量設定部１０５が、変更された奥行き調整値から視差調整量を設定する（Ｓ６）。そして、視差量調整部１０６が、視差調整量設定部１０５により設定された視差調整量に基づいて、立体映像の視差量を調整し（Ｓ７）、処理を終了する。一方、利用者により、奥行き調整値の変更入力がなされなかった場合には（Ｓ４；Ｎｏ）、視差調整量設定部１０５は、デフォルト値設定部１１１により設定された奥行き調整値のデフォルト値に基づいて視差調整量を設定し（Ｓ６）、視差量調整部１０６は設定された視差調整量に基づいて立体映像の視差量を調整し（Ｓ７）、処理を終了する。なお、この利用者による奥行き調整値の変更入力は、立体映像を表示する前に利用者に行わせてもよく、立体映像の表示途中で利用者に行わせてもよい。後者の場合、プロジェクター１は、一旦、デフォルト値の奥行き調整値により視差調整した（視差量が瞳孔間隔以下となった）映像を表示し、映像の表示途中での奥行き調整値の変更入力を受け、その入力された奥行き調整値により、視差量をさらに小さくした映像、あるいは大きくした映像を表示する。
【００３６】
以上のように、本実施形態のプロジェクター１は、立体映像の映像サイズに基づいて、奥行き調整値のデフォルト値を設定する。そして、利用者がさらなる視差調整（奥行き調整）を希望しない場合には、プロジェクター１は、そのデフォルト値である奥行き調整値に基づいて、立体映像の視差調整量を設定する。これにより、映像サイズが大きい場合でも、立体映像の視差量が瞳孔間隔を超えないように、視差量を調整することができる。その上、利用者がさらなる視差調整を希望する場合には、奥行き調整値をデフォルト値から変更させることで、変更された奥行き調整値に基づいて、立体映像の視差調整量を設定する。そして、設定された視差調整量に基づいて、立体映像の視差量を調整する。これにより、利用者は、映像サイズに応じて調整された視差量から、自分の好みの視差量に変更することができる。このように、視差量が瞳孔間隔を超えないよう、映像サイズに応じて立体映像の視差量を調整した上で、さらに利用者による視差調整を可能とすることができる。
【００３７】
次に、本発明の第２実施形態に係るプロジェクターについて説明する。第２実施形態のプロジェクターは、上記の第１実施形態と略同様の構成であるが、利用者の年齢に応じて奥行き調整値のデフォルト値を設定可能な点で異なる。以下、第１実施形態と異なる点を中心に説明する。なお、本実施形態において、第１実施形態と同様の構成部分については同じ符号を付し、詳細な説明を省略する。また、第１実施形態と同様の構成部分について適用される変形例は、本実施形態についても同様に適用される。
【００３８】
図８に示すように、第２実施形態のプロジェクター１は、第１実施形態における各部に加え、利用者情報取得部２０７をさらに備えている。利用者情報取得部２０７は、利用者に利用者自身（利用者が複数いる場合には最年少の者）の年齢を入力させるものであり、操作パネル１４、リモコン１５および表示部１０２を主要構成要素とする。より具体的には、「あなたの年齢を入力してください。複数人で見る場合は一番若い方の年齢を入力してください。」といった表示と共に、年齢を入力可能な表示を行い、入力された数値から利用者の年齢を取得する。なお、利用者情報取得部２０７は、利用者の年齢に代えて、利用者の瞳孔間隔を入力させる構成でもよく、利用者の顔の撮像結果から利用者の瞳孔間隔を取得する構成でもよい。
【００３９】
第２実施形態では、デフォルト値設定部１１１は、映像サイズ取得部１０３により取得された映像サイズに加え、利用者情報取得部２０７により取得された利用者の年齢に基づいて、奥行き調整値のデフォルト値を設定する。より具体的には、第１実施形態で述べたように、視差角が０．７度で、６０インチの映像サイズに投写することを前提として制作された立体映像において、視差量を２．８ｃｍに設定したとすると、映像サイズが１２０インチになると、視差量が５．５ｃｍとなり、視差量が子供の平均的な瞳孔間隔である５ｃｍを超えることになる。この場合、映像サイズの閾値を、立体映像の視差量が「子供」の平均的な瞳孔間隔（５ｃｍ）を超えるか否かを判定するための値とすれば、その閾値は１１０インチとなるが、映像サイズの閾値を、立体映像の視差量が「大人」の平均的な瞳孔間隔（６ｃｍ）を超えるか否かを判定するための値とすれば、その閾値は１３０インチとなる（図５参照）。
【００４０】
そこで、デフォルト値設定部１１１は、利用者情報取得部２０７により取得された利用者の年齢が子供（例えば１５歳未満）である場合には、図５に示したような奥行き調整値設定テーブルを作成して、取得された映像サイズが１１０インチを超えた場合に、視差量が小さくなるよう、奥行き調整値のデフォルト値をプラス側に設定し、他方、利用者情報取得部２０７により取得された利用者の年齢が大人（例えば１５歳以上）である場合には、図９に示したような奥行き調整値設定テーブルを作成して、取得された映像サイズが１３０インチを超えた場合に、視差量が小さくなるよう、奥行き調整値のデフォルト値をプラス側に設定する（図９では、図５に示した奥行き調整値設定テーブルとは値が異なる欄を塗りつぶしている）。なお、利用者情報取得部２０７が利用者の年齢を取得していない（利用者により年齢が入力されていない）場合には、デフォルト値設定部１１１は、安全面から、子供の年齢が取得された場合と同様の処理を行うことが好ましい。
【００４１】
図１０を参照して、第２実施形態に係るプロジェクター１の視差調整処理の流れについて説明する。プロジェクター１は、まず、入力した映像信号が二次元映像用であるか立体映像用であるかを検出し、入力した映像信号が立体映像用であると検出した場合は（Ｓ１；３Ｄ）、立体映像の映像サイズを取得する（Ｓ２）。続いて、利用者情報取得部２０７が、利用者情報（利用者の年齢）を取得する（Ｓ２ａ）。そして、デフォルト値設定部１１１が、利用者情報に基づいて作成した奥行き調整値設定テーブルを参照して、映像サイズ取得部１０３により取得された映像サイズに基づいて、奥行き調整値のデフォルト値を設定する（Ｓ３）。
【００４２】
以下は、第１実施形態と同様であり、プロジェクター１は、利用者により奥行き調整値の変更入力がなされた場合には（Ｓ４；Ｙｅｓ）、その入力結果に基づき、奥行き調整値を変更すると共に（Ｓ５）、変更された奥行き調整値から視差調整量を設定する（Ｓ６）。そして、設定された視差調整量に基づいて、立体映像の視差量を調整し（Ｓ７）、処理を終了する。また、プロジェクター１は、利用者により、奥行き調整値の変更入力がなされなかった場合には（Ｓ４；Ｎｏ）、奥行き調整値のデフォルト値に基づいて視差調整量を設定し（Ｓ６）、設定された視差調整量に基づいて立体映像の視差量を調整し（Ｓ７）、処理を終了する。これにより、利用者の年齢（瞳孔間隔）に応じた視差調整が可能となる。
【００４３】
以上のように、本実施形態のプロジェクター１によれば、映像サイズに応じて立体映像の視差量を調整した上で、さらに利用者による視差調整を可能とすることができる。
なお、本実施形態では、プロジェクター１の表示方式として、液晶ライトバルブを用いた液晶表示方式を採用しているが、プロジェクター１の表示原理はこれに限定されるものではなく、例えば、ＤＭＤ（Digital  Micromirror  Device）を用いた表示方式、ＣＲＴ（Cathode  Ray  Tube）表示方式などでもよい。また、プロジェクター１以外にも、テレビジョン受像機など、他の映像表示装置に本発明を適用可能である。
また本実施形態のプロジェクター１は、光源１９としてランプを有して構成されているが、ＬＥＤ（Light  Emitting  Diode）光源やレーザー等の固体光源や、その他の光源を用いることも可能である。
【符号の説明】
【００４４】
１０３：映像サイズ取得部、１０５：視差調整量設定部、１０６：視差量調整部、１１１：デフォルト値設定部、１１２：調整用値変更部、２０７：利用者情報取得部
【図１】
2013197797.tif 000003
【図２】
2013197797.tif 000004
【図３】
2013197797.tif 000005
【図４】
2013197797.tif 000006
【図５】
2013197797.tif 000007
【図６】
2013197797.tif 000008
【図７】
2013197797.tif 000009
【図８】
2013197797.tif 000010
【図９】
2013197797.tif 000011
【図１０】
2013197797.tif 000012